(57)【要約】【課題】光源モジュールを取付対象に対して容易に着脱できる照明器具を提供する。【解決手段】実施形態によれば、第１及び第２支持体と、第１及び第２光源モジュールと、を備えた照明器具が提供される。第１支持体は、第１方向に延びる板状である。第２支持体は、第１支持体の少なくとも一部を露呈させる枠状であり、第１方向に延びる第１及び第２部分を有し、第１支持体に対して着脱可能に取り付けられる。第１光源モジュールは、第１ケースと第１基板とを含む。第１ケースは、第１部分の上に設けられる。第１基板は、複数の光源を第２支持体と反対側に向けた状態で、第１ケース内に保持される。第２光源モジュールは、第２ケースと第２基板とを含む。第２ケースは、第２部分の上に設けられる。第２基板は、複数の光源を第２支持体と反対側に向けた状態で、第２ケース内に保持される。【選択図】図１
2014179243.tif 000002
【特許請求の範囲】
【請求項１】
第１方向に延びる板状の第１支持体と、
前記第１支持体の少なくとも一部を露呈させる開口を有する枠状であり、前記第１方向に延びる第１部分と、前記開口を挟んで前記第１部分と反対側において前記第１方向に延びる第２部分と、を有し、前記第１支持体の上側から前記第１支持体に対して着脱可能に取り付けられる第２支持体と、
前記第１部分の上に設けられ、前記第１方向に延びる筒状であり、かつ光透過性を有する第１ケースと、
複数の光源が並べて設けられ、前記複数の光源のそれぞれを前記第２支持体と反対側に向けた状態で、前記第１ケース内に保持される第１基板と、
を含む第１光源モジュールと、
前記第２部分の上に設けられ、前記第１方向に延びる筒状であり、かつ光透過性を有する第２ケースと、
複数の光源が並べて設けられ、前記複数の光源のそれぞれを前記第２支持体と反対側に向けた状態で、前記第２ケース内に保持される第２基板と、
を含む第２光源モジュールと、
を備えた照明器具。
【請求項２】
前記第１支持体は、
上側を向く上面と、
前記上面の前記第１方向に延びる一対の側端のそれぞれから上側に向かって延びる一対のリブと、
を有し、
前記第２支持体は、
前記開口の前記第１方向の端部に設けられ、前記一対のリブのそれぞれが入り込む一対のスリット部と、
前記一対のスリット部のそれぞれの間において前記上面の前記第１方向の端部に重なる重畳部と、
を有する請求項１記載の照明器具。
【発明の詳細な説明】
【技術分野】
【０００１】
本発明の実施形態は、照明器具に関する。
【背景技術】
【０００２】
天井などに取り付けられて室内を照明する照明器具がある。こうした室内用の照明器具において、光源モジュールと、この光源モジュールを支持する支持部と、を含む構成がある。光源モジュールには、例えば、ＬＥＤなどの発光素子が、光源として用いられる。光源モジュールは、例えば、複数の光源を並べて配置した基板と、この基板を保持するケースと、を含む。このような照明器具において、照明器具を天井などの取付対象に取り付けた後、光源モジュールを容易に着脱できるようにすることが望まれる。
【先行技術文献】
【特許文献】
【０００３】
【特許文献１】特開２０１０−１１８２７７号公報
【発明の概要】
【発明が解決しようとする課題】
【０００４】
本発明の実施形態は、光源モジュールを取付対象に対して容易に着脱できる照明器具を提供する。
【課題を解決するための手段】
【０００５】
本発明の実施形態によれば、第１支持体と、第２支持体と、第１光源モジュールと、第２光源モジュールと、を備えた照明器具が提供される。前記第１支持体は、第１方向に延びる板状である。前記第２支持体は、前記第１支持体の少なくとも一部を露呈させる開口を有する枠状であり、前記第１方向に延びる第１部分と、前記開口を挟んで前記第１部分と反対側において前記第１方向に延びる第２部分と、を有し、前記第１支持体の上側から前記第１支持体に対して着脱可能に取り付けられる。前記第１光源モジュールは、第１ケースと、第１基板と、を含む。前記第１ケースは、前記第１部分の上に設けられ、前記第１方向に延びる筒状であり、かつ光透過性を有する。前記第１基板は、複数の光源が並べて設けられ、前記複数の光源のそれぞれを前記第２支持体と反対側に向けた状態で、前記第１ケース内に保持される。前記第２光源モジュールは、第２ケースと、第２基板と、を含む。前記第２ケースは、前記第２部分の上に設けられ、前記第１方向に延びる筒状であり、かつ光透過性を有する。前記第２基板は、複数の光源が並べて設けられ、前記複数の光源のそれぞれを前記第２支持体と反対側に向けた状態で、前記第２ケース内に保持される。
【発明の効果】
【０００６】
光源モジュールを取付対象に対して容易に着脱できる照明器具が提供される。
【図面の簡単な説明】
【０００７】
【図１】図１（ａ）及び図１（ｂ）は、実施形態に係る照明器具を表す模式図である。
【図２】実施形態に係る照明器具の一部を模式的に表す部分斜視図である。
【図３】図３（ａ）及び図３（ｂ）は、実施形態に係る照明器具の一部を表す模式図である。
【図４】図４（ａ）及び図４（ｂ）は、実施形態に係る照明器具の一部を表す模式図である。
【図５】実施形態に係る照明器具の一部を表す模式的斜視図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
図１（ａ）及び図１（ｂ）は、実施形態に係る照明器具を表す模式図である。  
図１（ａ）は、照明器具１０の模式的斜視図であり、図１（ｂ）は、照明器具１０の模式的分解斜視図である。  
図１（ａ）及び図１（ｂ）に表したように、照明器具１０は、第１支持体１１と、第２支持体１２と、第１光源モジュール２１と、第２光源モジュール２２と、を備える。第１支持体１１は、第２支持体１２を支持する。第２支持体１２は、各光源モジュール２１、２２を支持する。各光源モジュール２１、２２は、複数の光源を有し、電力の供給に応じて光を照射する。
【００１０】
照明器具１０は、例えば、各光源モジュール２１、２２を下方に向けた状態で室内の天井に取り付けられる。照明器具１０は、各光源モジュール２１、２２から照射される光によって、室内を照明する。なお、照明器具１０は、天井に限ることなく、例えば、壁面などに取り付けてもよい。第１支持体１１には、例えば、吊りボルトなどの金具が取り付けられる。照明器具１０は、例えば、こうした金具を介して天井に取り付けられる。このように、第１支持体１１は、第２支持体１２の支持に用いられるとともに、天井などの取付対象への照明器具１０の取り付けに用いられる。
【００１１】
第１支持体１１は、第１方向に延びる板状の本体部１１ｍを有する。本体部１１ｍは、例えば、長尺な板状である。第１方向は、例えば、本体部１１ｍ（第１支持体１１）の長手方向である。本体部１１ｍは、上側を向く上面１１ｕを有する。上面１１ｕは、例えば、長方形状である。本体部１１ｍは、例えば、長方形状である。
【００１２】
ここで、第１方向に対して平行な方向をＸ軸方向とする。上面１１ｕに対して平行でＸ軸方向に対して垂直な方向をＹ軸方向とする。Ｘ軸方向及びＹ軸方向に対して垂直な方向をＺ軸方向とする。Ｚ軸方向は、上面１１ｕに対して垂直な方向である。
【００１３】
第１支持体１１は、本体部１１ｍの側端から上面１１ｕに対して平行な方向に突出する突出部１１ｐを有する。この例では、複数の突出部１１ｐが、第１支持体１１に設けられる。各突出部１１ｐは、第２支持体１２の第１支持体１１への取り付けに用いられる。各突出部１１ｐは、例えば、本体部１１ｍのＸ軸方向に延びる一対の側端１１ｓのそれぞれに設けられる。各突出部１１ｐは、例えば、各側端１１ｓからＹ軸方向に向かって突出する。この例では、本体部１１ｍの一方の側端１１ｓに４つずつ、計８つの突出部１１ｐが第１支持体１１に設けられる。突出部１１ｐの数は、任意でよい。突出部１１ｐの数は、例えば、１つでもよい。突出部１１ｐの突出方向は、Ｙ軸方向に限ることなく、上面１１ｕに対して平行な任意の方向でよい。突出部１１ｐは、例えば、本体部１１ｍのＹ軸方向に延びる側端に設けてもよい。
【００１４】
図２は、実施形態に係る照明器具の一部を模式的に表す部分斜視図である。  
図２に表したように、第１支持体１１の本体部１１ｍには、支持板１１ａが取り付けられる。支持板１１ａは、例えば、ネジ止めなどによって本体部１１ｍに取り付けられる。支持板１１ａは、例えば、本体部１１ｍの上面１１ｕと反対側の面に取り付けられる。支持板１１ａのＹ軸方向の長さは、本体部１１ｍのＹ軸方向の長さよりも長い。これにより、支持板１１ａの本体部１１ｍより突出した部分が、突出部１１ｐとなる。この例では、本体部１１ｍに対して４つの支持板１１ａが取り付けられる。これにより、各支持板１１ａによって、８つの突出部１１ｐが、第１支持体１１に設けられる。突出部１１ｐは、このように別の部材を取り付けることによって設けてもよい。突出部１１ｐは、例えば、本体部１１ｍと一体に形成してもよい。
【００１５】
本体部１１ｍには、一対のリブ１１ｒが設けられる。各リブ１１ｒは、上面１１ｕのＸ軸方向に延びる一対の側端（本体部１１ｍの側端１１ｓ）のそれぞれから上側に向かって延びる。各リブ１１ｒは、例えば、Ｚ軸方向に対して実質的に平行である。各リブ１１ｒは、Ｚ軸方向に対して傾斜してもよい。すなわち、各リブ１１ｒは、少なくとも上側（Ｚ軸方向）に延びる成分を有していればよい。また、各リブ１１ｒは、例えば、上面１１ｕに沿ってＸ軸方向に延びる。これにより、例えば、第１支持体１１の強度を高めることができる。
【００１６】
第１支持体１１には、各光源モジュール２１、２２に電力を供給する電源回路１４が設けられている。この例では、各光源モジュール２１、２２のそれぞれに対応した２つの電源回路１４が第１支持体１１に設けられている。各電源回路１４は、上面１１ｕの上に設けられる。各電源回路１４は、例えば、ネジ止めなどによって第１支持体１１に取り付けられる。
【００１７】
一方の電源回路１４は、例えば、外部から供給される電力を第１光源モジュール２１に対応した電圧または電流に変換して、第１光源モジュール２１に供給する。他方の電源回路１４は、例えば、外部から供給される電力を第２光源モジュール２２に対応した電圧または電流に変換して、第２光源モジュール２２に供給する。各光源モジュール２１、２２は、各電源回路１４からの電力供給に応じて光源を点灯させ、光を照射する。なお、１つの電源回路１４から各光源モジュール２１、２２のそれぞれに対して電力を供給してもよい。また、各電源回路１４は、例えば、照明器具１０とは別に設けてもよい。
【００１８】
また、第１支持体１１には、例えば、照明器具１０を天井などに取り付けるための金具や各電源回路１４に電力を供給する電源ケーブルなどを通すための複数の開口が設けられる。
【００１９】
本体部１１ｍには、例えば、鉄、アルミニウム、または、ステンレスなどの金属材料が用いられる。本体部１１ｍのＸ軸方向の長さは、例えば、１０００ｍｍ〜２０００ｍｍ程度である。本体部１１ｍのＹ軸方向の長さは、例えば、５０ｍｍ〜２００ｍｍ程度である。本体部１１ｍのＸ軸方向の長さとＹ軸方向の長さとの比率（縦横比）は、例えば、１０倍〜４０倍程度である。
【００２０】
照明器具１０は、カバー１５をさらに含む。カバー１５は、上面１１ｕの上に設けられる。カバー１５は、例えば、ネジ止めなどにより、第２支持体１２に取り付けられる。カバー１５は、例えば、第１支持体１１に取り付けてもよい。カバー１５は、例えば、Ｖ字型に折り曲げられた板状である。カバー１５には、例えば、鉄、アルミニウム、または、ステンレスなどの金属材料が用いられる。カバー１５は、例えば、光反射性を有する。カバー１５は、例えば、各電源回路１４を覆い隠す。カバー１５は、例えば、第１支持体１１に設けられた取付用の穴や電源ケーブルを通す穴などを覆う。これにより、例えば、照明器具１０の意匠性を高めることができる。
【００２１】
カバー１５は、Ｖ字型に折り曲げられている。カバー１５のＹ軸方向の幅は、上面１１ｕから離間するほど狭くなる。カバー１５は、例えば、各光源モジュール２１、２２から照射される光に対して反射性である。これにより、例えば、カバー１５の角度によって、各光源モジュール２１、２２から照射される光の配光角を制御することができる。
【００２２】
第２支持体１２は、第１支持体１１の少なくとも一部を露呈させる開口１２ｈを有する枠状である。第２支持体１２は、例えば、第１支持体１１を囲む枠状である。第２支持体１２は、Ｘ軸方向に延びる第１部分１２ａと、開口１２ｈを挟んで第１部分１２ａと反対側においてＸ軸方向に延びる第２部分１２ｂと、を有する。
【００２３】
図３（ａ）及び図３（ｂ）は、実施形態に係る照明器具の一部を表す模式図である。  
図３（ａ）は、第１支持体１１の一部及び第２支持体１２の一部を模式的に表す部分断面図である。  
図３（ｂ）は、第１支持体１１の一部及び第２支持体１２の一部を模式的に表す部分斜視図である。  
図３（ａ）に表したように、開口１２ｈのＹ軸方向の長さＷ１は、第１支持体１１の本体部１１ｍのＹ軸方向の長さＷ２よりも僅かに長い。一方、開口１２ｈのＹ軸方向の長さＷ１は、支持板１１ａのＹ軸方向の長さＷ３よりも短い。これにより、第２支持体１２は、各リブ１１ｒを開口１２ｈに入り込ませた状態で、各突出部１１ｐに重なる。
【００２４】
図３（ｂ）に表したように、第２支持体１２は、開口１２ｈのＸ軸方向の端部に設けられ、各リブ１１ｒのそれぞれが入り込む一対のスリット部１２ｇと、各スリット部１２ｇのそれぞれの間において上面１１ｕのＸ軸方向の端部に重なる重畳部１２ｖと、を有する。各スリット部１２ｇ及び重畳部１２ｖは、例えば、開口１２ｈのＸ軸方向の両端に設けられる。
【００２５】
このように、第２支持体１２は、第１支持体１１の各突出部１１ｐに重なるとともに、上面１１ｕの両端に重なる。第２支持体１２は、例えば、これらの重なり部分において第１支持体１１にネジ止めする。これにより、第２支持体１２は、第１支持体１１の上側から第１支持体１１に対して着脱可能に取り付けられる。第２支持体１２の第１支持体１１の取り付けは、ネジ止めに限ることなく、例えば、爪を係合させるスナップフィット構造など、着脱可能な任意の取り付け構造でよい。
【００２６】
第２支持体１２には、例えば、鉄、アルミニウム、または、ステンレスなどの金属材料が用いられる。第２支持体１２は、例えば、光反射性を有する。第２支持体１２は、例えば、各光源モジュール２１、２２から照射される光に対して反射性である。第２支持体１２は、例えば、各光源モジュール２１、２２の反射板としても機能する。
【００２７】
図４（ａ）及び図４（ｂ）は、実施形態に係る照明器具の一部を表す模式図である。  
図４（ａ）は、各光源モジュール２１、２２を模式的に表す分解斜視図である。  
図４（ｂ）は、照明器具１０の一部を模式的に表す部分断面斜視図である。  
図４（ａ）及び図４（ｂ）に表したように、第１光源モジュール２１は、第１ケース２１ａと、第１基板２１ｂと、一対のキャップ２１ｃ、２１ｄと、を有する。
【００２８】
第１ケース２１ａは、Ｘ軸方向（第１方向）に延びる筒状である。第１ケース２１ａは、例えば、略四角筒状である。第１ケース２１ａは、光透過性を有する。第１ケース２１ａには、例えば、光透過性を有する樹脂材料などが用いられる。第１ケース２１ａは、例えば、乳白色の樹脂やフロスト加工の施された樹脂など、光透過性と光拡散性とを有していてもよい。
【００２９】
第１ケース２１ａは、開口２１ｈを有する。開口２１ｈは、例えば、Ｘ軸方向に延びるスリット状である。開口２１ｈは、例えば、第１ケース２１ａのＸ軸方向の両端に連続する。開口２１ｈは、第１ケース２１ａのＸ軸方向の両端に必ずしも連続していなくてもよい。
【００３０】
第１基板２１ｂは、Ｘ軸方向に延びる。第１基板２１ｂのＸ−Ｙ平面に投影した形状は、例えば、長方形状である。第１基板２１ｂは、表面と、表面の反対側の裏面と、を有する。この例において、裏面は、表面に対して実質的に平行である。裏面は、表面に対して非平行でもよい。第１基板２１ｂの表面には、複数の光源２４が設けられる。第１基板２１ｂには、図示を省略した配線パターンが設けられている。各光源２４は、第１基板２１ｂの配線パターンと電気的に接続されている。各光源２４は、例えば、Ｘ軸方向及びＹ軸方向に並べられる。各光源２４の数やピッチは、任意である。各光源２４の数やピッチは、照明器具１０の大きさや照明器具１０に必要な輝度などに応じて適宜決定すればよい。
【００３１】
光源２４には、例えば、発光ダイオード（Light Emitting Diode：ＬＥＤ）が用いられる。光源２４は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。
【００３２】
第１ケース２１ａには、第１基板２１ｂを保持するための一対の溝部２１ｍが設けられている。各溝部２１ｍは、Ｘ軸方向に延び、Ｙ軸方向（第１方向に対して平行な平面上で第１方向と直交する第２方向）において互いに向かい合う。各溝部２１ｍの高さ（Ｚ軸方向の長さ）は、第１基板２１ｂの厚さ（Ｚ軸方向の長さ）と実質的に同じか、僅かに大きい程度である。各溝部２１ｍのＹ軸方向の深さ、及び、各溝部２１ｍ同士のＹ軸方向の間隔は、第１基板２１ｂのＹ軸方向の幅と実質的に同じか、僅かに大きい程度である。
【００３３】
第１基板２１ｂのＹ軸方向の一端を一方の溝部２１ｍに挿し込み、第１基板２１ｂのＹ軸方向の他端を他方の溝部２１ｍに挿し込む。例えば、第１ケース２１ａの一端から第１基板２１ｂを各溝部２１ｍに挿し込み、第１基板２１ｂをＸ軸方向にスライドさせて、第１基板２１ｂを第１ケース２１ａ内に収納する。これにより、第１基板２１ｂが第１ケース２１ａに保持される。
【００３４】
第１基板２１ｂの保持方法は、上記に限らない。例えば、ネジ止めなどによって第１基板２１ｂを第１ケース２１ａに保持してもよい。但し、第１基板２１ｂは、上記のように、ネジなどの保持部材を用いることなく第１ケース２１ａに保持できるようにすることが好ましい。これにより、例えば、第１光源モジュール２１の組立を容易にすることができる。例えば、落下による衝撃などが第１基板２１ｂに伝わることを抑えることができる。例えば、落下などの衝撃が加わった際の第１基板２１ｂの破損を抑制することができる。
【００３５】
第１基板２１ｂは、各光源２４を第１ケース２１ａの開口２１ｈと反対側（第２支持体１２と反対側）に向けて第１ケース２１ａに保持される。第１基板２１ｂの配線パターンは、第１ケース２１ａに保持された状態において、図示を省略した配線を介して、一方の電源回路１４と電気的に接続される。これにより、電源回路１４からの電力供給に応じて、各光源２４が点灯する。各光源２４から照射された光は、第１ケース２１ａを透過して外部に出射する。これにより、例えば、各光源２４から照射された光によって、室内が照明される。
【００３６】
キャップ２１ｃは、第１ケース２１ａの一端に嵌り、第１ケース２１ａの一端を塞ぐ。キャップ２１ｄは、第１ケース２１ａの他端に嵌り、第１ケース２１ａの他端を塞ぐ。これにより、第１ケース２１ａ内に収納された第１基板２１ｂの第１ケース２１ａからの抜けが抑制される。キャップ２１ｃ、２１ｄには、例えば、弾性を有するゴムなどの樹脂材料が用いられる。
【００３７】
図４（ｂ）に表したように、第１ケース２１ａは、第２支持体１２の第１部分１２ａの上に設けられる。第２支持体１２のＸ軸方向に延びる側端１２ｓは、開口２１ｈを介して第１ケース２１ａの内側に入り込み、開口２１ｈの縁部分と係合する。第２支持体１２には、抑え部材１６が取り付けられている。抑え部材１６は、例えば、ネジ止めなどによって第２支持体１２に着脱可能に取り付けられる。抑え部材１６は、第１ケース２１ａの側面に設けられた溝部に係合する。
【００３８】
このように、第１ケース２１ａのＹ軸方向の一端は、第２支持体１２の側端１２ｓと係合する。そして、第１ケース２１ａのＹ軸方向の他端は、抑え部材１６と係合する。これにより、第１ケース２１ａが、第２支持体１２に支持される。すなわち、第１光源モジュール２１が、第２支持体１２に支持される。抑え部材１６は、第１支持体１２に複数設けられる。各抑え部材１６は、Ｘ軸方向に所定の間隔で並べられる。これにより、第１光源モジュール２１が、より適切に第２支持体１２に支持される。
【００３９】
第２支持体１２は、第１光源モジュール２１を支持した状態において、開口２１ｈから第１ケース２１ａの内側に入り込み、第１基板２１ｂの裏面に当接する当接部１２ｔを有する。当接部１２ｔは、例えば、Ｘ軸方向に延びる。但し、当接部１２ｔは、第１基板２１ｂと電気的に絶縁される。
【００４０】
当接部１２ｔが第１基板２１ｂの裏面に当接することにより、第２支持体１２が、第１基板２１ｂと熱的に結合する。これにより、例えば、各光源２４の点灯にともなって生じる熱を第２支持体１２に逃がすことができる。例えば、各光源２４の放熱性を高めることができる。なお、当接部１２ｔは、第１基板２１ｂの裏面に直接接触してもよいし、例えば、放熱グリスや放熱シートなどを介して当接してもよい。このように、本願明細書において、「熱的に結合」には、直接接する場合の他に、放熱グリスや放熱シートなどを介して接する場合も含む。
【００４１】
また、当接部１２ｔを第１基板２１ｂの裏面に当接させ、第１基板２１ｂを第１ケース２１ａに押し付けることにより、ネジなどを用いることなく、第１基板２１ｂをより適切に第１ケース２１ａ内に保持することができる。
【００４２】
第２光源モジュール２２は、第１光源モジュール２１と実質的に同じである。第２光源モジュール２２は、第２ケース２２ａと、第２基板２２ｂと、一対のキャップ２２ｃ、２２ｄと、を有する。第２ケース２２ａは、Ｘ軸方向に延びる筒状である。第２ケース２２ａは、光透過性を有する。第２ケース２２ａは、開口２２ｈを有する。第２基板２２ｂの表面には、複数の光源２４が設けられる。第２基板２２ｂは、各光源２４を第２ケース２２ａの開口２１ｈと反対側（第２支持体１２と反対側）に向けて第２ケース２２ａに保持される。第２ケース２２ａは、例えば、互いに向かい合う一対の溝部を有する。第２基板２２ｂは、例えば、各溝部に挿し込むことによって、ネジなどを用いることなく第２ケース２２ａに保持される。
【００４３】
第２ケース２２ａは、第２支持体１２の第２部分１２ｂの上に設けられる。第２ケース２２ａのＹ軸方向の一端は、第２支持体１２のＹ軸方向の第１ケース２１ａと反対側の側端と係合する。そして、第２ケース２２ａのＹ軸方向の他端は、抑え部材１６と係合する。これにより、第２ケース２２ａが、第２支持体１２に支持される。第２光源モジュール２２が、第２支持体１２に支持される。
【００４４】
第２支持体１２には、第２部分１２ｂにも当接部が設けられる。当接部は、支持された第２光源モジュール２２の開口２２ｈから第２ケース２２ａの内側に入り込み、第２基板２２ｂの裏面に当接する。これにより、第２支持体１２は、第２基板２２ｂとも熱的に結合する。
【００４５】
以下、第２光源モジュール２２は、第１光源モジュール２１と実質的に同じであるから、詳細な説明は省略する。
【００４６】
図５は、実施形態に係る照明器具の一部を表す模式的斜視図である。  
図５に表したように、本実施形態に係る照明器具１０では、各光源モジュール２１、２２を第２支持体１２に取り付けた状態で、第２支持体１２を第１支持体１１に対して着脱することができる。例えば、第１支持体１１と第２支持体１２との各重なり部分のネジの着脱により、各光源モジュール２１、２２を第２支持体１２に取り付けた状態で、第２支持体１２を第１支持体１１に対して着脱できる。すなわち、照明器具１０では、例えば、天井などの取付対象に第１支持体１１を取り付けた状態で、各光源モジュール２１、２２及び第２支持体１２を着脱することができる。
【００４７】
このように、本実施形態に係る照明器具１０では、各光源モジュール２１、２２を取付対象に対して容易に着脱することができる。例えば、照明器具１０の取り付け作業を容易にすることができる。例えば、各光源モジュール２１、２２の交換の作業を容易にすることができる。
【００４８】
また、照明器具１０では、例えば、各抑え部材１６を取り外すことで、各光源モジュール２１、２２を第２支持体１２から容易に取り外すことができる。これにより、照明器具１０では、各光源モジュール２１、２２の交換の作業をより容易にすることができる。
【００４９】
上記実施形態では、第１光源モジュール２１と第２光源モジュール２２との２つの光源モジュールを第２支持体１２に取り付けているが、光源モジュールの数は、２つに限らない。例えば、第２支持体１２の第１部分１２ａにＹ軸方向に並べて２つの光源モジュールを取り付け、第２部分１２ｂにＹ軸方向に並べて２つの光源モジュールを取り付けることにより、計４つの光源モジュールを第２支持体１２に取り付けてもよい。第２支持体１２に取り付けられる光源モジュールの数は、２つ以上の任意の数でよい。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０…照明器具、１１…第１支持体、１１ａ…支持板、１１ｍ…本体部、１１ｐ…突出部、１１ｒ…リブ、１１ｕ…上面、１２…第２支持体、１２ａ…第１部分、１２ｂ…第２部分、１２ｇ…スリット部、１２ｈ…開口、１２ｖ…重畳部、１４…電源回路、１５…カバー、２１…第１光源モジュール、２１ａ…第１ケース、２１ｂ…第１基板、２２…第２光源モジュール、２２ａ…第２ケース、２２ｂ…第２基板、２４…光源
【図１】
2014179243.tif 000003
【図２】
2014179243.tif 000004
【図３】
2014179243.tif 000005
【図４】
2014179243.tif 000006
【図５】
2014179243.tif 000007